(57)【特許請求の範囲】
【請求項１】
第一剤を収納した容器本体と、容器本体の口筒部に装着される上部キャップと下部キャップとからなるキャップと、中栓と、キャップ内に保持された第二剤の収納容器とからなる二剤混合容器において、
上部キャップは、頂壁と内筒と外筒とを具え、
内筒には、内方に第二剤の収納容器を保持し、下端に下向き破断刃を垂設しており、外筒には、下端に封緘帯が連設され、内周にはねじが設けられており、
下部キャップは、上部に上部キャップを装着し、上部キャップの外筒の内周に設けられたねじと螺合するねじが設けられた内筒と、内筒外周に連設された上壁と、上壁外縁に連設された容器本体の口筒部に係合する外筒とを具え、
内筒下端内周には上面に上向き破断刃を立設した突部が配設されており、
中栓は、内周が下部キャップの内筒外周下部に係合し、外周が容器本体の口筒部内周に挿入される周壁と、周壁上端外周に連設されるフランジと、周壁内周下端に連設された底壁とを具え、
底壁には、上部キャップの内筒の下向き破断刃により、切断開口される蓋壁が形成されており、
第二剤の収納容器は、容器部と、容器部に装着され、下部キャップの内筒下端に設けた突部の上向き破断刃により切断開口されるシートとからなっており、
封緘帯を取り外し、上部キャップを下部キャップに対して閉蓋方向に回転させることによって、上部キャップを下降させ、第二剤の容器部のシートを切断開口させると同時に、中栓の蓋壁を切断開口させるようにしたことを特徴とする二剤混合容器。
【請求項２】
第一剤を収納した容器本体と、容器本体の口筒部に装着される上部キャップと下部キャップとからなるキャップと、キャップ内に保持された第二剤の収納容器とからなる二剤混合容器において、
上部キャップは、頂壁と内筒と外筒とを具え、
内筒には、内方に第二剤の収納容器を保持し、下端に下向き破断刃を垂設しており、外筒には、下端に封緘帯が連設され、内周にはねじが設けられており、
下部キャップは、上部に上部キャップを装着し、上部キャップの外筒の内周に設けられたねじと螺合するねじが設けられた内筒と、内筒外周に連設された上壁と、上壁外縁に連設された容器本体の口筒部に係合する外筒とを具え、
内筒の下端には、底壁が連設され、該底壁の上面には、上向き破断刃を立設した突部が配設され、底壁の下面には、上部キャップの内筒の下向き破断刃により、切断開口される蓋壁が形成されており、
第二剤の収納容器は、容器部と、容器部に装着され、下部キャップの内筒下端に設けた突部の上向き破断刃により切断開口されるシートとからなっており、
封緘帯を取り外し、上部キャップを下部キャップに対して閉蓋方向に回転させることによって、上部キャップを下降させ、第二剤の容器部のシートを切断開口させると同時に、下部キャップの蓋壁を切断開口させるようにしたことを特徴とする二剤混合容器。
【発明の詳細な説明】
【技術分野】
【０００１】
本発明は、分離して収納した二剤を簡単な操作で混合できるようにした二剤混合容器に関するものである。
【背景技術】
【０００２】
二剤混合容器として、第一剤を容器本体に収納し、第二剤を容器本体の口筒部上方に装着され、下端開口をアルミシールで封止した逆カップ状の容器に収納し、アルミシールを破断刃によって破断し、二剤を混合させるようにした混合容器は、従来より知られている（例えば、特許文献１参照）。
【特許文献１】実公平６−３４３１５号
【発明の開示】
【発明が解決しようとする課題】
【０００３】
しかしながら、上記特許文献１記載の混合容器では、容器本体内に、第一剤として液体が入っていると、運搬時の振動による内容液のウォーターハンマー現象、或いは、容器を取り落としたときの内容液のウォーターハンマー現象等によって、アルミシールが破断されるというおそれがあった。
【０００４】
また、容器本体に収納した液が、混合容器の保存中に、温度の上昇、或いは発酵、炭酸ガスの発生等により、容器内の圧力が上昇することがあった。
そのため、シールを破断するおそれがあり、薄肉のプラスチック製シールは使えないという問題があった。
【０００５】
本発明は、上記の問題を解決することを課題として、第二剤を収納したコップ状容器のシール面を、容器本体に収納した内容液のウォーターハンマー現象や、内圧の上昇によって破損されることを防止するようにした二剤混合容器を提供することを目的とする。
【課題を解決するための手段】
【０００６】
本発明は、上記の課題を解決するため、二剤混合容器として、第一剤を収納した容器本体と、容器本体の口筒部に装着される上部キャップと下部キャップとからなるキャップと、中栓と、キャップ内に保持された第二剤の収納容器とからなる二剤混合容器において、上部キャップは、頂壁と内筒と外筒とを具え、内筒には、内方に第二剤の収納容器を保持し、下端に下向き破断刃を垂設しており、外筒には、下端に封緘帯が連設され、内周にはねじが設けられており、下部キャップは、上部に上部キャップを装着し、上部キャップの外筒の内周に設けられたねじと螺合するねじが設けられた内筒と、内筒外周に連設された上壁と、上壁外縁に連設された容器本体の口筒部に係合する外筒とを具え、内筒下端内周には上面に上向き破断刃を立設した突部が配設されており、中栓は、内周が下部キャップの内筒外周下部に係合し、外周が容器本体の口筒部内周に挿入される周壁と、周壁上端外周に連設されるフランジと、周壁内周下端に連設された底壁とを具え、底壁には、上部キャップの内筒の下向き破断刃により、切断開口される蓋壁が形成されており、第二剤の収納容器は、容器部と、容器部に装着され、下部キャップの内筒下端に設けた突部の上向き破断刃により切断開口されるシートとからなっており、封緘帯を取り外し、上部キャップを下部キャップに対して閉蓋方向に回転させることによって、上部キャップを下降させ、第二剤の容器部のシートを切断開口させると同時に、中栓の蓋壁を切断開口させるようにしたことを特徴とする構成を採用する。
【０００７】
二剤混合容器の別実施例として、第一剤を収納した容器本体と、容器本体の口筒部に装着される上部キャップと下部キャップとからなるキャップと、キャップ内に保持された第二剤の収納容器とからなる二剤混合容器において、上部キャップは、頂壁と内筒と外筒とを具え、内筒には、内方に第二剤の収納容器を保持し、下端に下向き破断刃を垂設しており、外筒には、下端に封緘帯が連設され、内周にはねじが設けられており、下部キャップは、上部に上部キャップを装着し、上部キャップの外筒の内周に設けられたねじと螺合するねじが設けられた内筒と、内筒外周に連設された上壁と、上壁外縁に連設された容器本体の口筒部に係合する外筒とを具え、内筒の下端には、底壁が連設され、該底壁の上面には、上向き破断刃を立設した突部が配設され、底壁の下面には、上部キャップの内筒の下向き破断刃により、切断開口される蓋壁が形成されており、第二剤の収納容器は、容器部と、容器部に装着され、下部キャップの内筒下端に設けた突部の上向き破断刃により切断開口されるシートとからなっており、封緘帯を取り外し、上部キャップを下部キャップに対して閉蓋方向に回転させることによって、上部キャップを下降させ、第二剤の容器部のシートを切断開口させると同時に、下部キャップの蓋壁を切断開口させるようにしたことを特徴とする構成を採用する。
【発明の効果】
【０００８】
本発明の二剤混合容器は、第二剤の収納容器を装着した上部キャップの下方に中栓を装着しているので、容器本体の運搬時の振動による内容液の揺れ、或いは、温度上昇、その他の要因から発生する内圧の上昇によって、第一剤と第二剤との間の破断可能なシートが傷ついて破れるということを防止することができる。
また、上部キャップを下部キャップに対して回転させ下降させることにより、第二剤を収納した収納容器のシートを破断して開口するとともに、中栓の傾斜底壁を破断して開口し、第二剤を容器本体内に落下させて二剤を混合することができ、操作性が向上した。
【発明を実施するための最良の形態】
【０００９】
次に、本発明の二剤混合容器について図面を参照して説明する。
図１において、Ａは液体、または粉体等の第一剤を収納した容器本体、Ｂは容器本体Ａに装着されるキャップ、Ｃは中栓、ＤはキャップＢ内に保持される液体、または粉体等の第二剤を収納した収納容器である。
容器本体Ａは、上部に口筒部１を具えており、口筒部１外周には、ねじ２が螺設されている。
【００１０】
キャップＢは、図１、２に示すように、上部キャップＢ１と、下部キャップＢ２とから構成されている。
【００１１】
上部キャップＢ１は、頂壁５と、頂壁５下面に垂設された内筒６と、頂壁５周縁から垂設された外筒７とからなっている。
内筒６の内周には、頂壁５下面とともに第二剤の収納容器Ｄを保持するため、複数の保持片８が設けられており、内筒６の下端面の所定の位置には、下向き破断刃９が垂設されている。
【００１２】
外筒７の内周には、ねじ１０が設けられ、外筒７の下端には、等間隔をおいて配設された切断可能な複数の連結片１１を介して封緘帯１２が連設されており、封緘帯１２の外周の一部にはつまみ部１３が設けられ、つまみ部１３に接して、容易に切断可能な連結片、または切断可能な薄肉部により、上下方向に延びる弱化部が設けられている。
【００１３】
実施例では、封緘帯１２を、連結片１１を介して外筒７に連設しているが、外筒７の下端と下部キャップ上壁の間に挿入されるつまみ部を設けたスペーサー等を用いてもよい。
【００１４】
下部キャップＢ２は、下端面が傾斜面を形成するように切断された内筒１５と、内筒１５の外周の所定の位置に連設されたフランジ状の上壁１６と、上壁１６外周縁から垂設された外筒１７とからなっている。
【００１５】
内筒１５の外周上部には、上部キャップＢ１の外筒７内周のねじ１０に螺合するねじ１８が設けられている。
内筒１５の下端内周には、内筒１５の下端面の最下部より上方に傾斜する突部１９が内方に向かって突設されており、突部１９の先端上部には、上向き破断刃２０が立設されている。
【００１６】
外筒１７の内周には、容器本体Ａの口筒部１のねじ２に螺合するねじ２１が設けられている。
【００１７】
中栓Ｃは、軟質のポリエチレン等の比較的軟質の素材によって形成されており、図１、３に示すように、内周が下部キャップＢ２の内筒１５外周に係合する周壁２５と、周壁２５の上端外周に連設されたフランジ２６と、周壁２５の下端内周に連設され、下部キャップＢ２の内筒１５の下端と当接する傾斜底壁２７とからなっている。
【００１８】
傾斜底壁２７には、上部キャップＢ１の下向き破断刃９により、斜面の最下部付近を残して円弧状に切断される薄肉の弱化ライン２８と、弱化ライン２８の円弧の両端部付近から内方に設けられている折り曲げライン２９により蓋壁３０が形成されている。
蓋壁３０の上面の最上部付近には、収納容器Ｄの下面に当接し、蓋壁３０の一部を下方に押下げ、蓋壁３０を折り曲げライン２９を介して下方に変形させる押下げ突部３１が立設されている。
【００１９】
押下げ突部３１の位置は、上部キャップの下降時に、実施例では後述する収納容器Ｄのフランジ３６と当接するようになっているが、上部キャップＢ１の内筒６に当接するようにしてもよい。
また、押下げ突部３１の高さは、切断刃の高さに応じて適宜に設定することができる。
【００２０】
収納容器Ｄは、図１．２に示すように、上部キャップＢ１の内筒６内方に保持片８を介して、倒立して保持される容器部３５と、容器部３５の開口端に設けられたフランジ３６とからなり、該フランジ３６には、下部キャップＢ２の突部１９の上向き破断刃２０により切断可能な薄肉のシート３７が貼着されている。
【００２１】
次に、本発明の二剤混合容器の使用態様と作用効果について説明する。
まず始めに、二剤混合容器の組立てについて説明する。
図１に示すように、第二剤を収納した収納容器Ｄを、上部キャップＢ１の内筒６内方に倒立して保持させる。
【００２２】
次いで、上部キャップＢ１を下部キャップＢ２の内筒１５上部に装着する。
その際、上部キャップＢ１の外筒７内周のねじ１０と下部キャップＢ２の内筒１５上部外周のねじ１８が螺合することにより、上部キャップＢ１を下部キャップＢ２に対して下降させ、上部キャップＢ１の外筒７下端に連設された封緘帯１２の下端が、下部キャップＢ２の上壁１６の上面に当接すると、上部キャップＢ１の下降が止められる。
【００２３】
次いで、下部キャップＢ２の内筒１５下端と、中栓Ｃの傾斜底板２７との互いの傾斜を係合させながら、内筒１５下部に中栓Ｃを装着する。
【００２４】
最後に、第一剤を収納した容器本体Ａの口筒部１に、中栓Ｃを装着したキャップＢを螺着させ、閉蓋させる。
その際、中栓Ｃの周壁２５外周が、容器本体Ａの口筒部１内周に挿入されるとともに、中栓Ｃのフランジ２６が、下部キャップＢ２の上壁１６下面と口筒部１上端面により挟持されることで、容器内が密封される。
以上のようにして、二種類の内容物を収納した二剤混合容器が得られる。
【００２５】
本実施形態の二剤混合容器では、下部キャップＢ２の下部に中栓Ｃを装着することにより、運搬時に、容器本体Ａ内の第一剤が激しく揺さぶられたり、内圧上昇があったとしても、第二剤の収納容器Ｄのシート３７が破損し、開口することを防止している。
【００２６】
二剤混合容器の使用にあたっては、まず始めに、上部キャップＢ１の封緘帯１２のつまみ部１３を手指等で引張ると、弱化部および連結片１１が引裂かれ、上部キャップＢ１の外筒７下端より封緘帯１２を外すことができる。
次に、上部キャップＢ１を、下部キャップＢ２に対して回転させ、下降させる。
【００２７】
上部キャップＢ１が、下部キャップＢ２に対して回転しながら下降すると、上部キャップＢ１の内筒６下端に設けた下向き破断刃９が、中栓Ｃの傾斜底壁２７上面に当接し、傾斜底壁２７の弱化ライン２８を切断していく。
【００２８】
その際、傾斜底壁２７に傾斜があるため、図１に示すように、上部キャップＢ１の回転しはじめの時には、下向き破断刃９が傾斜底壁２７上面に当接しないが、一定角度回転し下降したときに、下向き破断刃９が傾斜底壁２７上面に当接し、図３に示すように、弱化ライン２８を切断していく。
また、下向き破断刃９の当接に前後して、フランジ３６、または内筒６の下端が押下げ突部３１上面に当接し、押下げ突部３１を押圧していく。
【００２９】
また、上部キャップＢ１の内筒６内方に保持されている第二剤の収納容器Ｄも上部キャップＢ１とともに回転しながら下降し、所定の高さから、第二剤の収納容器Ｄのシート３７下面に、下部キャップＢ２の内筒１５内周下端の突部１９の上向き破断刃２０が当接し、回転しながら切断されていく。
【００３０】
第二剤の収納容器Ｄのシート３７が切断されることにより、切断部より収納容器Ｄ内の第二剤が下方に落ち、さらに、中栓Ｃの傾斜底壁２７の切断部より第二剤が容器本体Ａ内に落ちていく。
【００３１】
上部キャップＢ１の下部キャップＢ２に対しての回転は、螺合の完了とともに終了させることもできるが、図４に示すように、上部キャップＢ１の下向き破断刃９の側面が下部キャップＢ２の内筒１５内周下端に突設された突部１９の側面に当接することによって、回転を終了させることができる。
【００３２】
上部キャップＢ１の回転が止まるときには、図４に示すように、中栓Ｃの傾斜底壁２７の蓋壁３０上面の押下げ突部３１が第二剤の収納容器Ｄの下面に当接して押下げられ、蓋壁３０を折り曲げライン２９を介して下方に変形させ、中栓Ｃの傾斜底壁２７から蓋壁３０を完全に開口させる。
さらに、第二剤の収納容器Ｄのシート３７は、一部に未切断部を形成して下に垂れ、完全に開口される。
【００３３】
第二剤の収納容器Ｄのシート３７、および中栓Ｃの傾斜底壁２７から蓋壁３０が完全に開口することで、第二剤の収納容器Ｄ内の第二剤を、最後まで容器本体Ａ内に落とすことができる。
【００３４】
本実施形態のキャップでは、下部キャップＢ２の内筒１５内周下端に突設された突部１９の配置場所、または横幅を調整することで、上部キャップＢ１の回転可能角度を調整することができる。
そのことにより、回転可能角度とともに、中栓Ｃの傾斜底部２７の傾斜角度を調整することにより傾斜底部２７の切断個所の形状を調整することができる。
【００３５】
二剤を混合した液体等を使用する際には、下部キャップＢ２の外筒１７を把持して回転させると、中栓ＣとともにキャップＢを容器本体Ａの口筒部１から取外し、容器本体Ａを傾けると、口筒部１から二剤を混合した液体等を注出することができる。
【００３６】
次に、下部キャップＢ２と中栓Ｃを一体成形した変形実施例について説明する。
前記実施形態と同一の構成のものには同一の符号を付して説明を省略し、以下、変更点を中心に説明する。
【００３７】
図５において、Ｂａは第二剤の収納容器Ｄを装着した上部キャップＢ１ａと、下部キャップＢ２ａとからなるキャップである。
下部キャップＢ２ａは、前記実施形態と同様に、上部にねじ１８ａを設けた内筒１５ａと、上壁１６ａと、内周にねじ２１を設け、容器口筒部に螺合する外筒１７ａとからなり、内筒１５ａの下端には、傾斜底壁４０が連設されている。
【００３８】
傾斜底壁４０の上面には、その最下点に位置して、内端に上向き破断刃４１を立設した突部４２が設けられており、その反対側には、押下げ突部４３が立設されている。
傾斜底壁４０の下面には、円弧状の弱化ライン４４と折り曲げライン４５が設けられ、蓋壁４５が形成されている。
【００３９】
容器本体Ａ、上部キャップＢ１ａ、収納容器Ｄの構成は、前記実施形態と同一であり、上部キャップＢ１ａを装着した下部キャップＢ２ａは、パッキンＰを介して容器本体Ａの口筒部１に螺着される。  
パッキンＰは、下部キャップＢ２ａの材質によってはなくてもよい。
【００４０】
使用にあたっての作用効果は、傾斜底壁の弱化ラインが上部キャップＢ１ａの下向き切断刃９によって切断され、蓋壁が開口し、前記実施形態と同様の作用効果を得ることができる。
【００４１】
前記実施形態と実施例では、上部キャップと下部キャップのねじの方向を同一の右ねじとしたが、上部キャップの回転操作時に、下部キャップが回転しないようにするため、容器口筒部に下部キャップに対する回転止め手段を配設してもよく、また、上部キャップのねじと下部キャップのねじとを逆方向のねじとしてもよい。
【００４２】
また、前記実施形態と実施例では、中栓Ｃ、または下部キャップＢ２ａ下面に傾斜底壁２７、４０を採用したが、上部キャップの下降により蓋壁が切断されるので、傾斜底壁２７、４０は、水平な底壁であってもよい。
【産業上の利用可能性】
【００４３】
本発明の混合容器は、容器本体と、上部キャップと下部キャップと中栓とからなるキャップにおいて、上部キャップを下部キャップに対して回転させ、上部キャップ内方に保持した第二剤の収納容器のシートを切断して開口するとともに、中栓の底壁を切断して開口することにより、第二剤を容器本体内に落下させて第一剤と混合させるようにしているので、操作性に優れたものとなっている。
また、中栓に用いることによって、シートの破損を防止するので、飲料品、食料品、化粧品、香料、薬品、その他の混合容器として、広く利用することができる。
【図面の簡単な説明】
【００４４】
【図１】本発明の混合容器の断面立面図である。
【図２】本発明のキャップと中栓と第二剤の収納容器の説明図で、（ａ）は立面説明図、（ｂ）は下面説明図である。
【図３】本発明の混合容器の上部キャップ回転時の要部の説明図で、（ａ）は立面説明図、（ｂ）は下面説明図である。
【図４】本発明の混合容器の上部キャップ回転後の断面立面図である。
【図５】変形実施例の混合容器の断面立面図である。
【符号の説明】
【００４５】
Ａ            容器本体
Ｂ、Ｂａ      キャップ
Ｂ１、Ｂ１ａ  上部キャップ
Ｂ２、Ｂ２ａ  下部キャップ
Ｃ            中栓
Ｄ            収納容器
Ｐ            パッキン
１            口筒部
２、１０、１８、２１    ねじ
５            頂壁
６、１５      内筒
７、１７      外筒
８            保持片
９            下向き破断刃
１１          連結片
１２          封緘帯
１３          つまみ部
１６          上壁
１９、４２    突部
２０、４１    上向き破断刃
２５          周壁
２６          フランジ
２７、４０    傾斜底壁
２８、４４    弱化ライン
２９          折り曲げライン
３０、４５    蓋壁
３１、４３    押下げ突部
３５          容器部
３６          フランジ
３７          シート
【図１】
0004786356.tif 000002
【図２】
0004786356.tif 000003
【図３】
0004786356.tif 000004
【図４】
0004786356.tif 000005
【図５】
0004786356.tif 000006